(57)【要約】【課題】クリップ全体を薄型化するとともに、接着材やねじ等の固定手段を用いることなく、磁石を容易に固定しうるようにする。【解決手段】台座１に嵌合孔６を穿設し、この嵌合孔６内に、台座１とほぼ等しい厚さの磁石４を有するヨーク３を、係止突片７により台座１の下方への脱落を防止して収容するとともに、ヨーク３の上面に、レバー板２の下面に突設した突部１５の下端を当接させて、ヨーク３と磁石４を嵌合孔６内に保持する。【選択図】  図２
2004251381.tif 000002
【特許請求の範囲】
【請求項１】
磁石を有し、かつ下面が前記磁石により磁性金属板に吸着される平板状台座と、その上面に上下に回動可能に取付けられたレバー板と、前記台座とレバー板との前方の対向端を常時閉塞するように付勢する付勢手段とを備える磁石付きクリップにおいて、
前記台座に嵌合孔を穿設し、該嵌合孔内に、台座の板厚とほぼ等しい厚さの磁石を、抜け止め手段により台座の下方への脱落を防止して収容するとともに、前記磁石の上面に、前記レバー板の下面に突設した突部の下端を当接させることにより、前記嵌合孔内に磁石を保持したことを特徴とする磁石付きクリップ。
【請求項２】
突部を、レバー板の回動中心に突設するとともに、その下端面を、磁石の幅方向の上面に当接する円弧状の曲面とした請求項１に記載の磁石付きクリップ。
【請求項３】
抜け止め手段を、嵌合孔の下面側の開口縁に内向き対向状に突設した少なくとも１対の係止突片とした請求項１または２に記載の磁石付きクリップ。
【請求項４】
嵌合孔を、磁石の外形形状と同じ形状に形成した請求項１ないし３のいずれかに記載の磁石付きクリップ。
【請求項５】
嵌合孔の上面側の開口縁の隅部に、１対の内向き保持片を突設した請求項１ないし４のいずれかに記載の磁石付きクリップ。
【請求項６】
台座とレバー板との対向面における回動中心部に、前方を向くとともに、後方が開口された凹部を形成し、双方の凹部内に、付勢手段としての側面視コ字状をなす板ばねの上下の前向片をそれぞれ嵌合することにより、台座とレバー板とを連結し、かつ板ばねの付勢力により、台座とレバー板との前方の対向端が常時閉塞されるようにした請求項１ないし５のいずれかに記載の磁石付きクリップ。
【請求項７】
レバー板の左右両側部下面に、板ばねの外側端を覆いうる大きさのカバー片を下向きに突設してなる請求項６記載の磁石付きクリップ。
【請求項８】
台座とレバー板との回動中心における対向面に、レバー板の回動を許容可能として互いに係合し合う突部と凹部を設けた請求項１ないし７のいずれかに記載の磁石付きクリップ。
【請求項９】
台座におけるカバー板の回動中心よりも前方の上面に、紙類の端面が当接するストッパー部を上向きに突設した請求項１ないし８のいずれかに記載の磁石付きクリップ。
【発明の詳細な説明】
【０００１】
【発明の属する技術分野】
本発明は、各種の紙類を挟んで、磁性の壁面やホワイトボード等に磁着しておける磁石付きクリップに関する。
【０００２】
【従来の技術】
この種の従来のクリップとしては、下面側に磁石が取付けられた固定板と、該固定板の上面に回動自在に枢着され、ばねにより固定板の一方の端部側が常時閉塞されるようにした可動板とを備えたものがある（例えば特許文献１参照）。
【０００３】
【特許文献１】
特開平７−２９０８７２号公報（図１〜図６等）
【０００４】
【発明が解決しようとする課題】
上記特許文献１に記載されている従来のクリップでは、固定板の端縁を下方に直角に折曲することにより、矩形の収納空間を形成し、この収納空間に、比較的厚さの大きい磁石を収納して固定しているため、固定板の厚さが大となり、クリップ全体も厚型となっている。
また、磁石を接着剤を用いて固定しているため、それを塗布する工程が増えるとともに、長期間使用すると、接着剤が劣化して磁石が剥離する恐れがある。
【０００５】
本発明は、上記問題点を解決するためになされたもので、磁石が取付けられる台座の厚さを最小限として、クリップ全体の薄型化を図るとともに、接着剤やねじ等の固定手段を用いることなく、磁石を容易に固定しうるようにした磁石付きクリップを提供することを目的としている。
【０００６】
【課題を解決するための手段】
上記目的を達成するために、本発明の磁石付きクリップは、磁石を有し、かつ下面が前記磁石により磁性金属板に吸着される平板状台座と、その上面に上下に回動可能に取付けられたレバー板と、前記台座とレバー板との前方の対向端を常時閉塞するように付勢する付勢手段とを備える磁石付きクリップにおいて、
前記台座に嵌合孔を突設し、該嵌合孔内に、台座の板厚とほぼ等しい厚さの磁石を、抜け止め手段により台座の下方への脱落を防止して収容するとともに、前記磁石の上面に、前記レバー板の下面に突設した突部の下端を当接させることにより、前記嵌合孔内に磁石を保持したことを特徴としている。
上記構成の本発明によると、磁石は、台座の嵌合孔内収納されているため、台座の上下寸法はもとより、クリップ全体の薄型化が可能となる。
また、磁石は、抜け止め手段とレバー板の突部とにより、嵌合孔内に保持されているので、接着剤やねじ等の固定手段を用いる必要がない。
【０００７】
上記クリップにおいて、突部を、レバー板の回動中心に突設するとともに、その下端面を、磁石の幅方向の上面に当接する円弧状の曲面とするのが好ましい。
このようにすると、レバー板の回動が支障なく円滑に行われるとともに、磁石の上面が均一かつ安定的に押圧される。
【０００８】
上記クリップにおいて、抜け止め手段を、嵌合孔の下面側の開口縁に内向き対向状に突設した少なくとも１対の係止突片とするのが好ましい。
このようにすると、別部材としての抜け止め手段を設けたりすることなく、嵌合孔に磁石を収容するだけで、簡単に下方への脱落が防止される。
【０００９】
上記クリップにおいて、嵌合孔を、磁石の外形形状と同じ形状に形成するのが好ましい。
このようにすると、嵌合孔内において磁石ががた付くのが防止される。
【００１０】
上記クリップにおいて、嵌合孔の上面側の開口縁の隅部に、１対の内向き保持片を突設するのが好ましい。
このようにすると、磁石が嵌合孔の上方に抜け出ることがないので、台座に予め磁石を組込んでおくことができ、組立工数が削減される。
【００１１】
上記クリップにおいて、台座とレバー板との対向面における回動中心部に、前方を向くとともに、後方が開口された凹部を形成し、双方の凹部内に、付勢手段としての側面視コ字状をなす板ばねの上下の前向片をそれぞれ嵌合することにより、台座とレバー板とを連結し、かつ板ばねの付勢力により、台座とレバー板との前方の対向端が常時閉塞されるようにするのが好ましい。
このようにすると、コ字状の板ばねは、台座とレバー板との連結部材も兼ねているので、部品点数が削減されるとともに、台座とレバー板との連結部の構造が簡単となる。
【００１２】
上記クリップにおいて、レバー板の左右両側部下面に、板ばねの外側端を覆いうる大きさのカバー片を下向きに突設するのが好ましい。
このようにすると、板ばねが側方より見えなくなるので、クリップの見栄えが向上する。
【００１３】
上記クリップにおいて、台座とレバー板との回動中心における対向面に、レバー板の回動を許容可能として互いに係合し合う突部と凹部を設けるのが好ましい。
このようにすると、台座とレバー板との位置決めが容易となるとともに、回動中心である互いの当接面が位置ずれするのが防止される。
【００１４】
上記クリップにおいて、台座におけるカバー板の回動中心よりも前方の上面に、紙類の端面が当接するストッパー部を上向きに突設するのが好ましい。
このようにすると、紙類を重ねて挟む際に、端面を揃えて挟持することができる。
【００１５】
【発明の実施の形態】
以下、本発明の実施形態を図面に基づいて説明する。
【００１６】
図１は、本発明の磁石付きクリップの側面図、図２は同じく中央縦断側面図、図３は分解斜視図である。
【００１７】
本発明の磁石付きクリップは、平面視ほぼ矩形平板状をなす合成樹脂製の台座１と、それよりも若干小形の合成樹脂製のレバー板２と、鉄製ヨーク３の下面に固着された矩形の薄形磁石４と、側面視コ字状の１対の板ばね５，５とからなっている。
【００１８】
台座１の後方寄り（以下、図１の左方を前として説明する。）の中央部には、上下寸法が台座１の厚さとほぼ等しい下向きコ字状のヨーク３が収容される、それと同形の矩形をなす嵌合孔６が穿設されている。
【００１９】
嵌合孔６の下方の開口縁には、前後１対の係止突片７，７が、内向き対向状に一体的に形成され、両係止突片７には、上記磁石４の前後両端部下面が受支されて、嵌合孔６の下方への脱落が防止されるようになっている。
【００２０】
嵌合孔６の上方の開口縁における前部側の左右の隅部には、１対の保持片８，８が後向きに突設され、両保持片８は、嵌合孔６に収容されたヨーク３の前端部上面に当接又は近接し、磁石４を有するヨーク３が上方に容易に抜け出ないようにしてある。
【００２１】
なお、嵌合孔６内に磁石４を有するヨーク３を収容した際、ヨーク３の左右の下端面が、台座１の下面と同一面に整合するか、又は台座１の下面より若干上方に位置するようになっている。
【００２２】
台座１における嵌合孔６を挟む上面には、左右１対の上向き膨出部９，９が形成され、その平坦面をなす前後方向の中間部上面には、突部１０と凹部１１とが形成されている。
【００２３】
また、両膨出部９の後半部の傾斜面には、上記板ばね５の下方の前向片５ａが挿入可能な開口部１２が形成され、この開口部１２は、図５に示すように、膨出部９の前半部下方に形成された、下方が開口する凹部１３と連通している。
【００２４】
左右の膨出部９の前端面は、垂直をなすストッパー面１４とされ、図６に示すように、複数枚の紙類Ｐを挿入した際、その端面が当接することにより、端面同士を揃えて挟むことができるようになっている。
【００２５】
レバー板２の前端部には、台座１の前端部上面と面接触しうるように下向き円弧状の折曲部２ａが形成されている。
なお、折曲部２ａの下端面に、滑り止め用の凹凸条を設けたり、ゴム材等を貼着してもよい。
【００２６】
図４の底面斜視図にも示すように、レバー板２の回動中心である下面のほぼ中央部には、下面（図４では上面）が円弧状の曲面をなす突部１５が、左右方向を向いて突設されている。
【００２７】
上記突部１５の左右寸法は、ヨーク３の左右寸法とほぼ等しい寸法とされ、図２に示すように、台座１にレバー板２を組付けた際、突部１５の下端は、ヨーク３における前後方向の中間部上面に当接するようになっている。
【００２８】
レバー板２の下面における突部１５を挟む両側には、前後方向の中間部が下向き山形状をなす左右１対の下向き膨出部１６、１６が形成され、その回動中心となる最下端面には、上記台座１の突部１０と凹部１１とに係合される突部１０と凹部１１が形成されている。なお、レバー板２を支障なく回動させうるように、凹部１１の大きさを突部１０の径よりも若干大としている。
【００２９】
両膨出部１６における後半部には、上記板ばね５の上方の前向片５ａが挿入可能な開口部１７が形成され、この開口部１７は、図５に示すように、膨出部１６の前半部上方に形成された凹部１８と連通している。
【００３０】
レバー板２における膨出部１６の外側方の下面には、板ばね５を取付けた際に、その側端を覆いうる大きさのカバー片１９が下向きに突設されている。
【００３１】
次に、上記実施形態のクリップの組立て要領を説明する。
まず台座１の嵌合孔６内に、予め磁石４を固着してなるヨーク３を上方より収容する。
【００３２】
次いで、台座１の上向き膨出部９と、レバー板２の下向き膨出部１６との対向面に設けた突部１０と凹部１１とを互いに係合させるようにして、台座１の上面にレバー板２を載置する。
【００３３】
次いで、台座１とレバー板２の膨出部９、１６に形成した開口部１２、１７より、板ばね５を挿入し、その上下の前向片５ａを、それぞれ台座１とレバー板２の凹部１３、１８内に押し込む。
【００３４】
この際、上下の前向片５ａが上下方向に互いに反対向きに弾性変形されることにより、台座１とレバー板２との膨出部９、１６の対向面同士が強く当接して互いに連結され、かつ両前向片５ａの前端が回動中心よりも前方を押圧することにより、レバー板２の前端が台座１の上面と当接して閉塞状態に保持される（図５参照）。
【００３５】
なお、板ばね５が上下の凹部１３、１８から抜け出るのを防止するために、上下の前向片５ａの前端部に内向き円弧状の係止突条５ｂ、５ｂを形成し、両係止突条５ｂを、台座１の膨出部９の下面と、レバー板２の膨出部１６の上面とに形成した係合溝２０に、それぞれ係合させるようにするのがよい。
【００３６】
紙類Ｐを挟持する際は、レバー板２の後端部を、板ばね５の付勢力に抗して下向きに押圧して回動させ、前端を台座１に対して開けばよい。
【００３７】
また、台座１の下面を磁性の壁面やホワイトボード等に当接させると、磁石４とヨーク３の磁着力により、紙類Ｐを挟んだ状態でクリップを吸着しておくことができる。
【００３８】
以上説明したように、上記実施形態の磁石付きクリップにおいては、台座１に嵌合孔６を設け、この嵌合孔６内に、台座１の板厚とほぼ等しい上下寸法の、磁石４と一体をなすヨーク３を収容しているため、台座１の上下寸法はもとより、クリップ全体を薄型化することができる。
【００３９】
また、ヨーク３及び磁石４は、係止突片７により下方への脱落が阻止され、かつ上面がレバー板２の下面の突部１５により押えられているため、接着剤やねじ等の固定手段を用いる必要はなく、組立て工数や部品点数を削減することができる。
【００４０】
なお、上記実施形態では、台座１の中央部に磁石４を配置し、それを挟む両側にレバー板２の支点を有するようにしているが、その反対に、台座１の中央部をレバー板２の支点とし、それを挟む両側に１対の嵌合孔６を形成して、その中に磁石４を嵌合するようにしてもよい。
【００４１】
【発明の効果】
本発明によれば、次のような効果を奏することができる。
【００４２】
（ａ）請求項１に記載の発明によれば、磁石は、台座に設けた嵌合孔内に収容されているため、従来のクリップのように台座の上下寸法が大きくなることはなく、かつクリップ全体を薄型化することができる。
また、磁石は、抜け止め手段とレバー板の突部により押えられて嵌合孔内に保持されているため、接着剤やねじ等の固定手段が不要となり、組立工数や部品点数を削減することができる。
【００４３】
（ｂ）請求項２に記載の発明によれば、レバー板の回動が支障なく円滑に行われるとともに、磁石の上面が均一かつ安定的に押圧される。
【００４４】
（ｃ）請求項３に記載の発明によれば、別部材として抜け止め手段を設けたりすることなく、嵌合孔に磁石を収容するだけで、簡単に下方への脱落を防止することができる。
【００４５】
（ｄ）請求項４に記載の発明によれば、嵌合孔内において磁石ががた付くのが防止される。
【００４６】
（ｅ）請求項５に記載の発明によれば、磁石が嵌合孔の上方に抜け出ることがないので、台座に予め磁石を組込んでおくことができ、組立工数が削減される。
【００４７】
（ｆ）請求項６に記載の発明によれば、コ字状の板ばねは、台座とレバー板との連結部材も兼ねているので、部品点数が削減されるとともに、台座とレバー板との連結部の構造が簡単となる。
【００４８】
（ｇ）請求項７に記載の発明によれば、板ばねが側方より見えなくなるので、クリップの見栄えが向上する。
【００４９】
（ｈ）請求項８に記載の発明によれば、台座とレバー板との位置決めが容易となるとともに、回動中心である互いの当接面の位置ずれが防止される。
【００５０】
（ｉ）請求項９に記載の発明によれば、紙類を重ねて挟む際に、端面を揃えて挟持することができる。
【図面の簡単な説明】
【図１】本発明の磁石付きクリップの側面図である。
【図２】同じく、中央縦断側面図である。
【図３】同じく、分解斜視図である。
【図４】同じく、レバー板の底面斜視図である。
【図５】同じく、板ばね取付部の縦断側面図である。
【図６】同じく、紙類を挟んだ状態の板ばね取付部の縦断側面図である。
【符号の説明】
１                台座
２                レバー板
２ａ              折曲部
３                ヨーク
４                磁石
５                板ばね
５ａ              前向片
５ｂ              係止突条
６                嵌合孔
７                係止突片
８                保持片
９                上向き膨出部
１０              突部
１１              凹部
１２              開口部
１３              凹部
１４              ストッパー面
１５              突部
１６              下向き膨出部
１７              開口部
１８              凹部
１９              カバー片
２０              係合溝
Ｐ                紙類
【図１】
2004251381.tif 000003
【図２】
2004251381.tif 000004
【図３】
2004251381.tif 000005
【図４】
2004251381.tif 000006
【図５】
2004251381.tif 000007
【図６】
2004251381.tif 000008